【事件の表示】
　特許第３０２２１７４号「自動販売機の商品サンプル展示装置」の請求項１、２に係る特許に対する特許異議の申立てについて、次のとおり決定する。
【結　論】
　訂正を認める。
　特許第３０２２１７４号の請求項１に係る特許を取り消す。
【理　由】
１．手続の経緯
　特許第３０２２１７４号（平成６年６月３０日出願、平成１２年１月１４日設定登録、以下、「本件特許」という。）に対する異議申立事件の手続の経緯は、以下のとおりである。  　
　　　異議申立　　　　　　　　　平成１２年９月１８日
　　　取消理由通知（発送日）　　平成１３年４月　６日
　　　訂正請求　　　　　　　　　平成１３年６月　４日
　　　意見書　　　　　　　　　　同上
　　
２．訂正の適否についての判断
（１）訂正事項
（ア）訂正事項１
　特許請求の範囲の記載の、
「【請求項１】
  本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備えたことを特徴とする自動販売機の商品サンプル展示装置。  　
【請求項２】 
  前記ガイド溝には、前記ピンとの係合を脱して前記サンプル展示台を前記保持板から取り外すための開口部が形成されていることを特徴とする請求項１記載の自動販売機の商品サンプル展示装置。」を、
「【請求項１】
  本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え、前記ガイド溝には、前記ピンとの係合を脱して前記サンプル展示台を前記保持板から取り外すための開口部が形成されていることを特徴とする自動販売機の商品サンプル展示装置。」と訂正する。
　　
（イ）訂正事項２
　発明の詳細な説明の段落【０００８】及び段落【０００９】の、
「【課題を解決するための手段】
　本発明は、本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備えたものである。
　また本発明は、前記ガイド溝には、前記ピンとの係合を脱して前記サンプル展示台を前記保持板から取り外すための開口部が形成されているものである。」を、
「【課題を解決するための手段】
　本発明は、本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え、前記ガイド溝には、前記ピンとの係合を脱して前記サンプル展示台を前記保持板から取り外すための開口部が形成されているものである。」と訂正する。
　　
（２）訂正の目的の適否、新規事項の有無及び拡張・変更の存否
　訂正事項１は、特許請求の範囲において、もとの請求項１を削除して、請求項２を請求項１に繰り上げたものであり、特許請求の範囲の減縮を目的とするものである。
　訂正事項２は、特許請求の範囲の記載と、発明の詳細な説明の記載の整合をとるために、【課題を解決する手段】を訂正したものであって、段落【０００９】の内容を、段落【０００８】の内容に加えたものであり、明瞭でない記載の釈明を目的とするものである。
　訂正事項１及び２は、願書に最初に添付した明細書又は図面に記載した事項の範囲内においてなされ、実質上特許請求の範囲を拡張し、又は変更するものでない。
　　
（３）まとめ
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．特許異議の申立てについての判断
（１）本件発明
　本件特許の請求項１に係る発明（以下、「本件発明」という。）は、訂正明細書の特許請求の範囲の請求項１に記載された事項により特定される次のとおりのものと認める。
「【請求項１】
  本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え、前記ガイド溝には、前記ピンとの係合を脱して前記サンプル展示台を前記保持板から取り外すための開口部が形成されていることを特徴とする自動販売機の商品サンプル展示装置。」
　　
（２）引用刊行物
　当審が通知した取消しの理由に引用された特開平５−１５１４３６号公報（以下、「刊行物１」という。）には、図面とともに、次の記載がある。
（ア）従来の技術に関して、「この種のディスプレイ装置では自動販売機の前面をなす浅い箱形の外扉にディスプレイ室が設けられ、かつ前記外扉の背板を兼ねる中扉前面上に陳列台が固定設置され、この陳列台上に多数の商品見本を横一列に保持し、前記商品見本が自動販売機正面から見栄えよく見られるようにしたものが多い」（段落【０００２】）
　　
（イ）「第１の実施例を図１及び図２に基づいて説明する。図において、１は自動販売機の中扉でディスプレイ室の背板を形成する。２は次の如く構成されるディスプレイ装置である。即ち３は断面かぎ形をなし後部の端板を介して小ねじ４によって中扉１の前面上に固定設置される左右一対の支持板である。」（段落【０００７】抜粋）
　　
（ウ）「図３は第１の実施例の変形例ともいうべき第２の実施例を示すものである。図３において、第１の実施例と異る点は断面コ字形の支持板３の縦板に、支持部５ａ，５ｂ，５ｃを下向きに突出させたスライド溝５が形成され、又２個の頭付き支持ピン８が陳列台６の側板６１上に突設されている点である。尚板ばね９は削除される。しかして常時は係止部５ａ，５ｂと係合する支持ピン８を介して陳列台６は支持板３に支持され中扉１に近接し設置される。清掃時には陳列台６を少し持上げて支持ピン８を係止部５ａ，５ｂから外しスライド溝５を摺動させて係止部５ｂ，５ｃに係合させることにより、陳列台６と中扉１との間に空間が形成される。これにより第１の実施例と同様の効果が得られる。」（段落【０００９】）
　　
　そして、前記３．（２）（ア）乃至（ウ）の記載からみて、刊行物１には、次の発明が記載されていると認められる。
「本体に取付けられた外扉の前面に形成され、ディスプレイ室に陳列台を配設し、この陳列台に商品見本を取り付けて展示する自動販売機のディスプレイ装置において、前記ディスプレイ室の外扉の背板を兼ねる中扉に取り付けられて、前記陳列台を保持する支持板と、前記支持板又は前記陳列台のいずれかにそれぞれ設けられる支持ピン及び該支持ピンが遊嵌される前後方向に延びたスライド溝とからなり、前記陳列台を前記支持板に対して前後方向に移動可能に保持するように構成した自動販売機のディスプレイ装置。」
　　
　また、同じく当審が通知した取消しの理由に引用された実願平２−１０２４８６号（実開平４−５８７８８号）のマイクロフィルム（以下、「刊行物２」という。）には、図面に関して、次の記載がある。
（エ）従来の自動販売機に関して、「第３図，第４図において、１は自動販売機の本体である。２は、本体１の前面に取付けられた扉である。３ａは商品展示台である。４は商品見本である。５は、商品展示台３ａを扉２に取り付けるための保持部品で、ねじ５ａにて商品展示台３ａを固定している。６は、商品見本４の真下に設けられた蛍光灯である。７は、商品見本４前面の扉２に取り付けられている透明板である。
　以上のように構成された自動販売機の商品展示台は固定されて可動はしない。」(第２頁６〜１５行）
　　
（オ）本考案の一実施例の自動販売機に関して、「第１図及び第２図を参考に説明するが、従来と同一構成については同一付号を付して、その詳細な説明を省略する。
　同図において、３ｂは商品見本４を載置する商品展示台である。この商品展示台３ｂの両側面には、ワッシャ８ａが遊嵌されたネジ（軸部品）８を取付けている。５ｂは保持部品であり、商品展示台３ｂの側面に対向する面に直線状の案内溝５ｃを設けている。５ｄは保持溝であり、案内溝５ｃに角度を有して連続して設けられている。ネジ８は案内溝５ｃ及び保持溝５ｄに挿通され、ワッシャ８ａを介して保持部品５ｂを商品展示台３ｂに締付け、ネジ８、ワッシャ８ａ及び商品展示台３ｂが保持部品５ｂに対して揺動可能なように取付けている。
　以上のように構成された自動販売機の商品展示台について、以下その動作を説明する。
　商品見本４を交換する場合、商品展示台３ｂを持ち上げて保持溝５ｄからネジ８を脱し、案内溝５ｃに沿ってネジ８、ワッシャ８ａ及び商品展示台３ｂを摺動させる。そして、案内溝５ｃの端部にて商品展示台３ｂを回動させ、商品見本４を取付けている商品展示台３ｂの上面を傾斜することとなる。
　蛍光灯６の交換及び透明板７の清掃時も同様の操作を行う。
　以上のようにして、自動販売機のメンテナンス時の交換作業及び清掃作業の作業性を向上することができる。」（第４頁４行〜第５頁１２行）
　　
　また、同じく当審が通知した取消しの理由に引用された特開平５−８９３３３号公報（以下、「刊行物３」という。）には、図面とともに、次の記載がある。
（カ）「図１において、１４は展示商品受板で展示室４の下面に配置され、１９は支持軸で扉２の左右側面にて固着されている。１５は照明灯で、１６は照明灯ソケットで、１７は照明灯ソケット１６を固着する金具で、１８は受台で前記金具１７を固着する。２０は切り欠きを有した異形溝で、展示商品受板１４に設けられ、支持軸１９を着脱可能に挿入している。
　以上のように構成された自動販売機の商品展示装置について、以下その動作について説明する。
　展示商品１０，１０ｂの変更は、展示商品受板１４に固着させるが、支持軸１９にそって、異形溝２０により展示商品受板１４は、矢印の方向に回転し、受台１８によって回転を停止する。これにより展示商品受板の回転ができ、かつ異形溝２０の切り欠きを介して脱着可能になる。」（段落【００１５】〜段落【００１７】）
　　
（３）対比・判断
　そこで、本件発明と刊行物１に記載された発明とを対比すると、刊行物１に記載された発明の「外扉」、「ディスプレイ室」、「陳列台」、「商品見本」、「外扉の背板を兼ねる中扉」、「支持板」、「支持ピン」、「スライド溝」、「自動販売機のディスプレイ装置」は、それぞれ、本件発明の「前扉」、「商品展示室」、「サンプル展示台」、「商品サンプル」、「背壁」、「保持板」、「ピン」、「ガイド溝」、「保持装置」、「自動販売機の商品サンプル展示装置」に相当すると認められる。また、刊行物１の「支持板、支持ピン、スライド溝」は、本件発明の「保持装置」に相当するから、両者は、  　
「本体に取付けられた前扉の前面に形成され、商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持する保持装置とを備えた自動販売機の商品サンプル展示装置。」
で一致し、次の点で相違する。
　　
【相違点１】
　本件発明が、前扉が本体に枢支され、商品展示室が透明パネルで覆われているのに対して、刊行物１に記載された発明は、前扉が本体に単に取付けられている点。
　　
【相違点２】
　本件発明は、保持装置が、前方移動した位置でサンプル展示台を前方回動可能とするのに対して、刊行物１に記載された発明はそうではない点。
　　
【相違点３】
　本件発明は、ガイド溝には、ピンとの係合を脱してサンプル展示台を保持板から取り外すための開口部が形成されているのに対して、刊行物１に記載された発明は、開口部を形成していない点。
　　
　そこで、上記相違点１乃至３について検討する。
・【相違点１】について
　本件特許の出願時に、自動販売機の、前扉を本体に枢支することや、商品展示室を透明パネルで覆うことは、常套手段（例えば、刊行物３参照。）である。
　したがって、刊行物１の外扉と中扉にかえて、上記常套手段を採用することは、当業者が容易に想到し得たものである。
　　
・【相違点２】について
　上記３．（２）（オ）に示したように、刊行物２には、自動販売機の商品展示装置に関し、商品展示台３ｂを持ち上げて保持溝５ｄからネジ８を脱し、案内溝５ｃに沿ってネジ８、ワッシャ８ａ及び商品展示台３ｂを摺動させ、そして、案内溝５ｃの端部にて商品展示台３ｂを回動させ、商品見本４を取付けている商品展示台３ｂの上面を傾斜することが記載されており、また、この記載における「商品展示台」は、本件発明の「サンプル展示台」に相当する。
　刊行物１及び２は、ともに自動販売機の商品展示装置に関するものであるから、刊行物２の上記構成を、刊行物１の支持ピンとスライド溝からなる保持装置に採用して、本件発明のように、前方移動した位置でサンプル展示台を前方回動可能とすることは、当業者が容易に想到し得たものである。
　　
・【相違点３】について
　上記３．（２）（カ）に示したように、刊行物３には、「展示商品受板の回転ができ、かつ異形溝２０の切り欠きを介して脱着可能」にすることが記載されている。
　刊行物１及び３は、ともに自動販売機の商品展示装置に関するものであるから、刊行物３の切り欠きを、刊行物１のスライド溝に採用して、サンプル展示台を取り外し可能とすることは、当業者が容易に想到し得たものである。
　　
　さらに、本件発明が奏する作用、効果は、刊行物１乃至３の記載から容易に予測できたものである。
　したがって、本件発明は、刊行物１乃至３に記載されたものに基づいて当業者が容易に発明をすることができたものである。
　　
４．むすび
　以上のとおりであるから、本件発明は、特許法第２９条第２項の規定により特許を受けることができない。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月１５日（２００１．１０．１５）
【訂正の要旨】
（１）訂正事項１
　特許請求の範囲の記載の、
「【請求項１】
　本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備えたことを特徴とする自動販売機の商品サンプル展示装置。
　【請求項２】
　前記ガイド溝には、前記ピンとの係合を脱して前記サンプル展示台を前記保持板から取り外すための開口部が形成されていることを特徴とする請求項１記載の自動販売機の商品サンプル展示装置。」を、
「【請求項１】
　本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え、前記ガイド溝には、前記ピンとの係合を脱して前記サンプル展示台を前記保持板から取り外すための開口部が形成されていることを特徴とする自動販売機の商品サンプル展示装置。」と訂正する。
（２）訂正事項２
　発明の詳細な説明の段落【０００８】及び段落【０００９】の、
「【課題を解決するための手段】
　本発明は、本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備えたものである。
　また本発明は、前記ガイド溝には、前記ピンとの係合を脱して前記サンプル展示台を前記保持板から取り外すための開口部が形成されているものである。」を、
「【課題を解決するための手段】
　本発明は、本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え、前記ガイド溝には、前記ピンとの係合を脱して前記サンプル展示台を前記保持板から取り外すための開口部が形成されているものである。」と訂正する。
（５４）【発明の名称】
自動販売機の商品サンプル展示装置
（５７）【特許請求の範囲】
　【請求項１】　本体に枢支された前扉の前面に形成され、透明パネルで覆われた商品展示室にサンプル展示台を配設し、このサンプル展示台に商品サンプルを取り付けて展示する自動販売機の商品サンプル展示装置において、
　前記商品展示室の背壁に取り付けられて、前記サンプル展示台を保持する保持板と、
　前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え
、前記ガイド溝には、前記ピンとの係合を脱して前記サンプル展示台を前記保持板から取り外すための開口部が形成されていることを特徴とする自動販売機の商品サンプル展示装置。
【発明の詳細な説明】
　【０００１】
　【産業上の利用分野】
　本発明は、前扉の前面に形成された商品展示室に配設される自動販売機の商品サンプル展示装置に関し、特に商品展示室の清掃を簡単にするものに関する。
　【０００２】
　【従来の技術】
　従来の自動販売機においては、扉の前面に商品展示室を形成する一方、この商品展示室に販売する商品の商品サンプルを展示するための商品サンプル展示装置を配設するようにしたものがあり、このような商品サンプル展示装置としては例えば特開平５−１８２０７０号公報に示されるものがある。そして、この商品サンプル展示装置では、図９に示すように商品サンプル展示室１のロゴマークや風景等が描かれている背壁１ａにサンプル展示台２を取り付け、このサンプル展示台２に商品サンプル３を載置するようにしている。
　【０００３】
　ところで、この商品サンプル３は、自動販売機を輸送する際の振動等によりサンプル展示台２から落下することのないよう、例えばサンプル展示台２のサンプル載置板２ａに形成されている図示しない取付孔に下端部を嵌入することによりサンプル展示台２に固定されるようになっている。なお、同図において、４はサンプル載置板２ａの下方に配設され、商品サンプル３を下方より照明するための蛍光灯である。
　【０００４】
　【発明が解決しようとする課題】
　ところが、このような従来の自動販売機の商品サンプル展示装置において、このように商品サンプルをサンプル展示台に固定するようにすると、背壁の清掃を行なう場合には、同図に示すように背壁１ａの前方に位置する商品サンプル３が邪魔になる。
　【０００５】
　このため、従来はサンプル展示台２から全ての商品サンプル３を取り外して清掃を行なうようにしているが、商品サンプル３が多数ある場合には取外しに手間がかかるだけでなく、清掃後は再び全ての商品サンプル３をサンプル展示台２に固定しなければならないことから背壁の清掃は手間がかかるという問題点があった。
　【０００６】
　また、従来は、サンプル展示台が背壁に固定されるようになっているため、特に高い位置に取り付けられたサンプル展示台に対して商品サンプルの取付け取外しを行なう場合には、手間がかかるという問題点があった。
　【０００７】
　本発明は、このような問題点を解決するためになされたものであり、背壁の清掃を簡単に行なうことができると共に、商品サンプルの取付け取外しを簡単に行なうことのできる自動販売機の商品サンプル展示装置を提供することを目的とするものである。
　【０００８】
　【課題を解決するための手段】
　本発明は、本体に枢支された前扉の前面に形成され、透明パネルで覆われた商品展示室にサンプル展示台を配設し、このサンプル展示台に商品サンプルを取り付けて展示する自動販売機の商品サンプル展示装置において、前記商品展示室の背壁に取り付けられて、前記サンプル展示台を保持する保持板と、前記保持板又は前記サンプル展示台のいずれかにそれぞれ設けられるピン及び該ピンが遊嵌される前後方向に延びたガイド溝とからなり、前記サンプル展示台を前記保持板に対して前後方向に移動可能に保持すると共に、前方移動した位置で前記サンプル展示台を前方回動可能とする保持装置とを備え
、前記ガイド溝には、前記ピンとの係合を脱して前記サンプル展示台を前記保持板から取り外すための開口部が形成されているものである。
　【０００９】
　【００１０】
　【作用】
　前扉の前面に形成され、透明パネルで覆われた商品展示室の背壁に取り付けられた保持板により、商品サンプルを取り付けて展示するサンプル展示台を保持するようにする。そして、保持板又はサンプル展示台のいずれかにそれぞれ設けられるピン及びピンが遊嵌される前後方向に延びたガイド溝とからなる保持装置により、サンプル展示台を保持板に対して前後方向に移動可能に保持すると共に、前方移動した位置で前方回動可能とするようにする。
　【００１１】
　また、ガイド溝にピンとの係合を脱するための開口部を形成することにより、サンプル展示台を保持板から取り外すことができるようにする。
　【００１２】
　【実施例】
　以下、本発明の一実施例を図面を参照して説明する。
　【００１３】
　図１は、本発明の一実施例に係る商品サンプル展示装置を備えた自動販売機の正面図である。なお、同図において、図９と同一符号は、同一又は相当部分を示している。
　【００１４】
　同図において、５は前面に前扉６を開閉可能に枢支し、内部に商品収納庫を設けた自動販売機本体である。そして、この前扉６の前面の一側部には硬貨投入口７ａ及び返却レバー７ｂが配された操作部７が、また上部には商品サンプル展示室１が、さらに下部には商品取出口８がそれぞれ設けられている。なお、前扉６の商品サンプル展示室１の前面を覆う透明パネル９の前面には、商品サンプル展示室１のサンプル展示台１０に載置された各種商品サンプル３に対応するセレクトボタン１１が設けられている。
　【００１５】
　ここで、このサンプル展示台１０は、図２に示すように商品展示室１の背壁１ａに所定間隔を存して対向して取り付けられている保持板１２により保持されるようになっている。ところで、この保持板１２又はサンプル展示台１０のいずれか、本実施例においては、図３に示すようにサンプル展示台１０の、サンプル載置板１０ａの長手方向の両端部を折曲して形成されたそれぞれの側板１０ｂにはピン１３が対向突設されている。
　【００１６】
　また、保持板１２には、図４に示すようにピン１３が遊嵌される前後方向に延びたガイド溝１４が形成されている。そして、このガイド溝１４とピン１３とにより、サンプル展示台１０を保持板１２に対して前後方向に移動可能に保持すると共に、後述するように前方移動した位置でサンプル展示台１０を前方回動可能とする保持装置が構成されるようになっている。
　【００１７】
　ところで、この保持板１２のガイド溝１４の後端部には、保持板１２により保持されたサンプル展示台１０が、通常前方移動することがないようピン１３を係止する係止部１４ａが形成されている。そして、この係止部１４ａにピン１３を係止させた状態（以下係止状態という）のときには、図２に示すようにサンプル展示台１０の後端１０ｃが商品展示室１の背壁１ａに当たるようになっており、これによりサンプル展示台１０はピン１３を支点として回動することはなく、水平な状態を保つことができるようになっている。
　【００１８】
　なお、本実施例においては、サンプル展示台１０をより確実に水平な状態に保つことができるようにそれぞれの保持板１２には、図５に示すようにサンプル展示台１０を載置して水平に保持するための保持板１５が水平方向に突設されている。
　【００１９】
　一方、サンプル展示台１０を前方移動する場合には、係止状態で水平となっているサンプル展示台１０を上方に引き上げてピン１３を係止部１４ａから抜き出した後、サンプル展示台１０を前方に引き出すようにしている。そして、サンプル展示台１０がガイド溝１４に沿って前方に移動し、図６に示すようにピン１３がガイド溝１４の前端部に到達すると、図７に示すようにサンプル展示台１０がピン１３を支点として下方に回動するようになっている。
　【００２０】
　なお、サンプル展示台１０を前方移動する際、後端１０ｃが商品展示室１の背壁１ａに当たらなくなっても、サンプル展示台１０は保持板１５に支持されるようになっているので前端部に到達するまでは回動することはない。
　【００２１】
　そして、このようにサンプル展示台１０を前方に移動した後、同図に示すように下方回動させることにより背壁１ａの前方を開放することができ、これにより背壁１ａの清掃を容易に行なうことができるようになる。なお、図４において、１２ａは、図７に示すように下方回動したサンプル展示台１０の、例えばサンプル載置板１０ａの裏面に当たってサンプル展示台１０の回動を規制するよう保持板１２に形成されたストッパである。
　【００２２】
　一方、保持板１２のガイド溝１４の所定位置には、図４に示すようにピン１３との係合を脱してサンプル展示台１０を保持板１２から取り外すための開口部１４ｂが形成されている。また、保持板１５には、図５に示すように側壁部１０ｂから内方に向かって突設されたピン１２をガイド溝１４に係脱するための係脱孔１５ａが形成されている。
　【００２３】
　そして、このようにガイド溝１４に開口部１４ｂを形成すると共に、保持板１５に係脱孔１５ａを形成することにより、サンプル展示台１０を前方に引出した後、図８に示すように上方に引き上げれば、サンプル展示台１０を保持板１２から取り外すことができるようになっている。これにより、例えば、商品サンプル３を交換したりする際には、サンプル展示台１０を保持板１２から取り外した後、商品サンプル３を交換できるので商品サンプル３の取り付け取外しも容易に行なうことができるようになる。
　【００２４】
　そして、このように構成された商品サンプル展示装置を備えた自動販売機において、背壁１ａを清掃する場合には、まず係止状態で水平となっているサンプル展示台１０を上方に引き上げてピン１３を係止部１４ａから抜き出した後、サンプル展示台１０を前方に引出す。この際、サンプル展示台１０は保持板１５に支持されるので回動することはない。
　【００２５】
　次に、サンプル展示台１０を、図６に示すようにピン１３がガイド溝１４の前端部まで到達するまで引出した後、ストッパ１４に当たるまで下方に回動させて背壁１ａの前方を開放する。そして、このように背壁１ａの前方を開放することにより、清掃を簡単に行なうことができる。なお、清掃が終了すると、サンプル展示台１０を上方回動させた後、後方に移動し、通常の係止状態に戻すようにする。
　【００２６】
　一方、例えば商品サンプル３を交換する際には、係止状態となっているサンプル展示台１０を上方に引き上げてピン１３を係止部１４ａから抜き出した後、前方に引出し、この後、開口部１４ｂが形成されている位置にて上方に引き上げればサンプル展示台１０は保持板１２から外れる。
　【００２７】
　このように、商品展示室１の背壁１ａに取り付けられた保持板１２に設けられたガイド溝１４にサンプル展示台１０に設けられたピン１３を遊嵌することにより、サンプル展示台１０を保持板１２に対して前後方向に移動可能に保持することができると共に、前方移動した位置で前方回動可能とすることができる。また、ガイド溝１４に開口部１４ｂを形成することにより、サンプル展示台１０を保持板１２から取り外すことができる。
　【００２８】
　なお、これまでの説明においては、サンプル展示台１０にピン１３を、保持板１２にガイド溝１４をそれぞれ設けた場合について述べてきたが、本発明はこれに限らず、サンプル展示台１０にガイド溝１４を、保持板１２にピン１３をそれぞれ設けるようにしてもよい。
　【００２９】
　【発明の効果】
　以上のように本発明によれば、清掃時サンプル展示台を前方移動した位置で前方回動させることにより背壁の前方を開放することができるので、背壁の清掃を簡単に行なうことができる。また、サンプル展示台を保持板から取り外すことができるので、商品サンプルの取り付け取外しを簡単に行なうことができる。
【図面の簡単な説明】
　【図１】
　本発明の一実施例に係る商品サンプル展示装置を備えた自動販売機の正面図。
　【図２】
　上記自動販売機の商品展示室の要部側面図。
　【図３】
　商品サンプルを載置した状態のサンプル展示台の側面図。
　【図４】
　保持板の側面図。
　【図５】
　上記保持板の平面図。
　【図６】
　上記サンプル展示台が前方回動可能位置に到達した様子を示す図。
　【図７】
　上記サンプル展示台が前方回動した様子を示す図。
　【図８】
　上記サンプル展示台を保持板から取り外した様子を示す図。
　【図９】
　従来の自動販売機の商品展示室の要部側面図。
　【符号の説明】
１　商品サンプル展示室
１ａ　背壁
２，１０　サンプル展示台
３　商品サンプル
６　前扉
９　透明パネル
１２　保持板
１３　ピン
１４　ガイド溝
１４ｂ　開口部